(57)【要約】  多数の地物の中から、劣化している地物を特定することができる劣化地物特定装置等を提供する。  移動体が出射した光の地物からの反射光を受光して、当該移動体において測定された反射強度データを取得し、取得した当該反射強度データに基づいて劣化している地物を特定する。
2018180081.tif 000002
【特許請求の範囲】
【請求項１】
出射部が出射した光の地物からの反射光に基づく反射強度データを取得する取得部と、
前記取得部が取得した反射強度データに基づいて劣化している地物を特定する特定部と、
を備えることを特徴とする劣化地物特定装置。
【請求項２】
請求項１に記載の劣化地物特定装置であって、
前記取得部は、前記反射強度データを測定した地物の種類を示す地物種類情報を更に取得し、
前記特定部は、地物が劣化しているかの判定を閾値に基づいて行い、当該閾値を前記地物の種類に応じて変更することを特徴とする劣化地物特定装置。
【請求項３】
請求項１又は２の何れか一項に記載の劣化地物特定装置であって、
前記取得部は、前記反射強度データの測定日時を示す測定日時情報又は測定時の天候を示す天候情報の少なくとも何れか一方を含む付随情報を更に取得し、
前記特定部は、前記付随情報に応じて前記反射強度データを補正した上で、前記劣化している地物を特定することを特徴とする劣化地物特定装置。
【請求項４】
請求項１又は２の何れか一項に記載の劣化地物特定装置であって、
前記取得部は、前記反射強度データの測定日時を示す測定日時情報を更に取得し、
前記特定部は、前記測定日時情報に基づいて所定の期間に測定された前記反射強度データを選択し、当該選択した反射強度データに基づいて前記劣化している地物を特定することを特徴とする劣化地物特定装置。
【請求項５】
請求項１乃至４の何れか一項に記載の劣化地物特定装置であって、
前記取得部は、前記光を反射した地物の位置を特定するための位置情報を更に取得し、
前記特定部は、前記位置情報に基づいて、前記劣化している地物を特定することを特徴とする劣化地物特定装置。
【請求項６】
請求項５に記載の劣化地物特定装置であって、
前記特定部は、前記位置情報を参照して、指定されたエリアで測定された反射強度データに基づいて、前記劣化している地物を特定することを特徴とする劣化地物特定装置。
【請求項７】
請求項５に記載の劣化地物特定装置であって、
前記出射部を搭載した移動体の移動に伴って、前記取得部で取得した前記反射強度データに基づいて、反射強度分布を作成する作成部を更に備え、
前記特定部は、前記作成された反射強度分布に基づいて、前記劣化している地物を特定することを特徴とする劣化地物特定装置。
【請求項８】
請求項７に記載の劣化地物特定装置であって、
前記反射強度分布には、劣化している前記地物を特定する際の優先度を示す情報が含まれ、
前記特定部は、前記優先度を示す情報に基づいて、前記劣化している地物を特定することを特徴とする劣化地物特定装置。
【請求項９】
請求項１乃至８の何れか一項に記載の劣化地物特定装置であって、
前記特定部に特定された劣化している地物に対応する地図データを更新する更新部を更に備えることを特徴とする劣化地物特定装置。
【請求項１０】
請求項１乃至９の何れか一項に記載の劣化地物特定装置であって、
前記特定部が特定した劣化している地物を示す情報を送信する送信部を更に備えることを特徴とする劣化地物特定装置。
【請求項１１】
１又は複数の移動体に設けられた出射部が出射した光の地物からの反射光に基づく反射強度データを取得する取得部と、
前記取得部が取得した反射強度データに基づいて劣化している地物を特定する特定部と、
前記特定部が特定した前記劣化している地物に対応する地図データを更新する更新部と、
を備えることを特徴とする劣化地物特定装置。
【請求項１２】
１又は複数の移動体に設けられた出射部が出射した光の地物からの反射光に基づいて前記移動体に設けられた移動体装置が特定した劣化している地物に関する劣化地物情報を取得する取得部と、
前記取得部が取得した前記劣化地物情報が示す前記地物に対応する地図データを更新する更新部と、
を備えることを特徴とする劣化地物特定装置。
【請求項１３】
移動体に設けられた移動体装置と、劣化地物特定装置とを含む劣化地物特定システムであって、
前記移動体装置は、
前記移動体に設けられた出射部が出射した光の地物からの反射光に基づく反射強度データを前記劣化地物特定装置に送信する送信部を備え、
前記劣化地物特定装置は、
前記移動体装置から前記反射強度データを取得する取得部と、
前記取得部が取得した反射強度データに基づいて劣化している地物を特定する特定部と、
を備えることを特徴とする劣化地物特定システム。
【請求項１４】
劣化地物特定装置による劣化地物特定方法であって、
出射部が出射した光の地物からの反射光に基づく反射強度データを取得する取得工程と、
前記取得工程により取得した反射強度データに基づいて劣化している地物を特定する特定工程と、
を含むことを特徴とする劣化地物特定方法。
【請求項１５】
コンピュータを、
出射部が出射した光の地物からの反射光に基づく反射強度データを取得する取得部、
前記取得部が取得した反射強度データに基づいて劣化している地物を特定する特定部、
として機能させることを特徴とする劣化地物特定プログラム。
【請求項１６】
コンピュータを、
出射部が出射した光の地物からの反射光に基づく反射強度データを取得する取得部、
前記取得部が取得した反射強度データに基づいて劣化している地物を特定する特定部、
として機能させることを特徴とする劣化地物特定プログラムを記録したコンピュータ読み取り可能な記録媒体。
【発明の詳細な説明】
【技術分野】
【０００１】
本願は、劣化している地物を特定する劣化地物特定装置の技術分野に関する。
【背景技術】
【０００２】
自動運転車両では、ＬＩＤＡＲ（Light Detection and Ranging、Laser Imaging Detection and Ranging）などのセンサで計測した地物位置と、自動運転用の地図データに記述された地物位置をマッチングして高精度に自車位置を推定する必要がある。利用する地物として標識や看板、道路に描かれた白線などがあり、これらの地物位置を含む自動運転用の地図データは安定した自動運転を行うために、現実に即して整備・更新を行う必要がある。例えば、白線が経年劣化等によりその一部が消えてしまっている場合には、地図データにおける当該白線を表すデータに対して、劣化情報を反映させておく必要がある。【０００３】
そのため、従来は地図整備車両を走行させて、劣化した地物がないか実地調査を行う必要があった。そうした中、レーザー計測技術の発達により、地表面を計測した点群データを用いて地図データの利用・更新等に活かす技術の開発が進められている。例えば、特許文献１には、点群データに建物や街路樹等、道路面以外のデータも多く含まれているところ、この中から道路面を計測しているデータを抽出する技術が開示されている。当該技術は道路に描かれた白線を抽出するための前処理として利用することができる。【０００４】
【特許文献１】特開２０１７−９３７８号公報
【発明の概要】
【発明が解決しようとする課題】
【０００５】
特許文献１の技術を用いることにより、地表面を計測した点群データから道路領域を判定することができたが、地物の劣化状態まで判定することはできなかった。しかしながら、自動運転技術において、自車位置推定、レーンキープ、走行可能領域の認識などで地物の情報を用いた処理の重要性は非常に高く、地物の劣化状態がその処理に与える影響も大きい。そのため、実際の地物の劣化状態を把握し、劣化している地物については地図データに反映させておくことが重要である。【０００６】
本願発明は、こうした事情に鑑み、多数の地物の中から、劣化している地物を特定することができる劣化地物特定装置等を提供することを課題の一例とする。
【課題を解決するための手段】
【０００７】
請求項１に記載の発明は、出射部が出射した光の地物からの反射光に基づく反射強度データを取得する取得部と、前記取得部が取得した反射強度データに基づいて劣化している地物を特定する特定部と、を備えることを特徴とする。【０００８】
請求項１１に記載の発明は、１又は複数の移動体に設けられた出射部が出射した光の地物からの反射光に基づく反射強度データを取得する取得部と、前記取得部が取得した反射強度データに基づいて劣化している地物を特定する特定部と、前記特定部が特定した前記劣化している地物に対応する地図データを更新する更新部と、を備えることを特徴とする。【０００９】
請求項１２に記載の発明は、１又は複数の移動体に設けられた出射部が出射した光の地物からの反射光に基づいて前記移動体に設けられた移動体装置が特定した劣化している地物に関する劣化地物情報を取得する取得部と、前記取得部が取得した前記劣化地物情報が示す前記地物に対応する地図データを更新する更新部と、を備えることを特徴とする。【００１０】
請求項１３に記載の発明は、移動体に設けられた移動体装置と、劣化地物特定装置とを含む劣化地物特定システムであって、前記移動体装置は、前記移動体に設けられた出射部が出射した光の地物からの反射光に基づく反射強度データを前記劣化地物特定装置に送信する送信部を備え、前記劣化地物特定装置は、前記移動体装置から前記反射強度データを取得する取得部と、前記取得部が取得した反射強度データに基づいて劣化している地物を特定する特定部と、を備えることを特徴とする。【００１１】
請求項１４に記載の発明は、劣化地物特定装置による劣化地物特定方法であって、出射部が出射した光の地物からの反射光に基づく反射強度データを取得する取得工程と、前記取得工程により取得した反射強度データに基づいて劣化している地物を特定する特定工程と、を含むことを特徴とする。【００１２】
請求項１５に記載の発明は、コンピュータを、出射部が出射した光の地物からの反射光に基づく反射強度データを取得する取得部、前記取得部が取得した反射強度データに基づいて劣化している地物を特定する特定部、として機能させることを特徴とする。【００１３】
請求項１６に記載の発明は、コンピュータを、出射部が出射した光の地物からの反射光に基づく反射強度データを取得する取得部、前記取得部が取得した反射強度データに基づいて劣化している地物を特定する特定部、として機能させることを特徴とする劣化地物特定プログラムを記録したコンピュータ読み取り可能な記録媒体である。
【図面の簡単な説明】
【００１４】
【図１】実施形態に係る劣化地物特定装置の構成を示すブロック図である。
【図２】実施例に係る地図データ管理システムの概要構成を示すブロック図である。
【図３】（Ａ）は実施例に係るＬｉｄａｒが白線（劣化無し）での光の反射強度を測定する様子を示す図であり、（Ｂ）は当該反射強度を統計処理した場合のグラフの一例を示す図である。
【図４】（Ａ）は実施例に係るＬｉｄａｒが白線（劣化有り）での光の反射強度を測定する様子を示す図であり、（Ｂ）は当該反射強度を統計処理した場合のグラフの一例を示す図である。
【図５】実施例に係る白線予測範囲の算出方法を説明するための図である。
【図６】実施例に係る地図データ管理システムによる反射強度データ処理の動作例を示すフローチャートである。
【図７】実施例に係るサーバ装置による劣化判定処理の動作例を示すフローチャートである。
【図８】（Ａ）は第４変形例に係るＬｉｄａｒが垂直方向に複数の光を出射する様子を示す側面図であり、（Ｂ）は当該Ｌｉｄａｒが白線での光の反射強度を測定する様子を示す図である。
【図９】（Ａ）は第４変形例に係る車両の進行方向に沿って破線の白線について測定された反射強度の一例を示す図であり、（Ｂ）は当該反射強度の分布に基づいて劣化判定に用いる反射強度を切り分ける有効エリア及び無効エリアを示す例図である。
【図１０】路面ペイント部における反射強度を示すペイント部反射強度データ５０１を取得する方法を説明するための図である。
【図１１】複数のペイント部反射強度データ５０１を合成して反射強度地図データ５１０を生成する場合の概念図である。
【図１２】（Ａ）、（Ｂ）は、路面に描かれたペイント部の一例である。
【発明を実施するための形態】
【００１５】
本願発明を実施するための形態について、図１を用いて説明する。なお、図１は、本実施形態に係る劣化地物特定装置の概要構成を示すブロック図である。
【００１６】
図１に示すように、本実施形態に係る劣化地物特定装置１は取得部１Ａと特定部１Ｂを備えて構成されている。
【００１７】
取得部１Ａは、出射部が出射した光の地物からの反射光に基づく反射強度データを取得する。
【００１８】
特定部１Ｂは、取得部１Ａが取得した反射強度データに基づいて劣化している地物を特定する。
【００１９】
以上説明したように、本実施形態に係る劣化地物特定装置１によれば、取得部１Ａが、出射部が出射した光の地物からの反射光に基づく反射強度データを取得し、特定部１Ｂが、取得部１Ａが取得した反射強度データに基づいて劣化している地物を特定する。よって、出射部が出射した光の地物からの反射光に基づく反射強度データに基づいて、劣化している地物を特定することができる。また、劣化していると判定した地物に関して地図データに劣化情報を反映することで、実際の地物の整備を早急に、効率よく行うことが可能となり、安定した自動運転が可能となる。
【実施例】
【００２０】
図２−図７を用いて実施例について説明する。なお以下に説明する実施例は、本願発明を、地図データ管理システムＳに適用した場合の実施例である。【００２１】
［１．地図データ管理システムＳの構成及び概要］
図２に示すように、本実施例の地図データ管理システムＳは、地図データを管理するサーバ装置１００と、複数の車両のそれぞれに搭載される車載端末２００とを含んで構成され、サーバ装置１００と各車載端末２００はネットワークＮＷを介して接続されている。なお、図２では車載端末２００を一台示しているが、地図データ管理システムＳは複数の車載端末２００を含んで構成してもよい。また、サーバ装置１００についても複数の装置で構成してもよい。【００２２】
車載端末２００は、図３（Ａ）、図４（Ａ）に示すように、車載端末２００と共にＬｉｄａｒ２０５が搭載された車両Ｖにおいて、Ｌｉｄａｒ２０５が自ら出射した光Ｌの白線Ｗ１、白線Ｗ２（「地物」の一例）からの反射光を受光することにより測定した反射強度を示す反射強度データＤをサーバ装置１００に送信する。なお、図３（Ａ）、図４（Ａ）において反射強度データＤとして示している棒線は、その長さによってその地点における反射強度の大きさを表している（長いほど反射強度が大きい）。反射強度データＤは、Ｌｉｄａｒ２０５が出射した光Ｌが照射された各地点における反射強度を含むデータである。図３（Ａ）、図４（Ａ）では、白線Ｗ１、白線Ｗ２それぞれについて５地点での反射強度が測定されていることを示している。【００２３】
サーバ装置１００は、複数の車載端末２００それぞれから受信した複数の反射強度データＤに基づいて、劣化している地物を特定する。具体的には、複数の反射強度データＤを統計処理することにより劣化している地物を特定する。例えば、図３（Ａ）に示すように、劣化していない白線については、白線内の各地点での反射強度は高い値且つ均一的な値となるため、図３（Ｂ）に示すように、複数の反射強度に基づいて算出した平均値μが高くなり、且つ、標準偏差σが小さくなる。一方、図４（Ａ）に示すように、劣化した白線については、白線内の各地点での反射強度は低い値又は不均一的な値となることから、図４（Ｂ）に示すように、複数の反射強度に基づいて算出した平均値μが低くなるか、又は、標準偏差σが大きくなる。そこで、サーバ装置１００は、複数の反射強度に基づいて算出した平均値μや標準偏差σを閾値と比較することにより、地物が劣化していないか判定し、劣化している地物を特定する。そして、サーバ装置１００は、劣化している地物に対応する地図データを更新する。なお、地図データの更新は、サーバ装置１００から指示を受けた装置が行うこととしてもよい。【００２４】
［２．車載端末２００の構成］
次に、本実施例に係る車載端末２００の構成について説明する。図２に示すように、車載端末２００は、大別して、制御部２０１と、記憶部２０２と、通信部２０３と、インターフェース部２０４を含んで構成されている。【００２５】
記憶部２０２は、例えばＨＤＤ（Hard Disk Drive）やＳＳＤ(Solid State Drive)等により構成されており、ＯＳ（Operating System）、反射強度データ処理プログラム、地図データ、反射強度データＤ及び各種データ等を記憶する。地図データには、劣化判定の対象となる地物（本実施例では、白線）について、その位置を示す地図位置情報と、他の地物と識別するための地物ＩＤが記述されている（地図位置情報と地物ＩＤは一の地物に紐付く情報であるため、地物ＩＤは当該一の地物の位置を示す位置情報の一つということができる）。図３（Ａ）の例では、白線Ｗ１と白線Ｗ２にはそれぞれ別の地物ＩＤが割り当てられる。なお、白線が数百メートルに及ぶなど長く、一の地物として取り扱うことが不適当な場合には、一定の長さ（例えば、５ｍ）で区切りそれぞれを別個の地物として地物ＩＤを付与して取り扱うこととする。また、記憶部２０２が記憶する地図データと同様の地図データ（地物毎に、地図位置情報と地物ＩＤが記述された地図データ）が、サーバ装置１００の記憶部１０２にも記憶されており、車載装置２００とサーバ装置１００それぞれにおいて地物ＩＤにより同一の地物を特定することができる。更に、記憶部２０２が記憶する地図データは、例えば全国の地図データを記憶しておくこととしてもよいし、車両の現在位置を含む一定地域に対応する地図データをサーバ装置１００等から予め受信して記憶しておくこととしてもよい。【００２６】
通信部２０３は、車載端末２００とサーバ装置１００との通信状態を制御する。【００２７】
インターフェース部２０４は、外部機器であるＬｉｄａｒ２０５や内界センサ２０６と車載端末２００の間でデータをやりとりする際のインターフェース機能を実現する。【００２８】
Ｌｉｄａｒ２０５は、車両のルーフ部分等に取り付けられ、一機能として、常時、車両の周囲に円を描くように赤外線レーザー光を出射し（ルーフ部分から下向きに一定の角度で出射する）、車両の周囲にある地物の表面上の点で反射した光を受光し、各点における反射強度を示す反射強度データＤを生成する機器である。反射強度データＤは、レーザー光を水平に出射し、地面や地物で反射した強度を示すデータであるため、反射強度が低い部分（地物が存在しない地面部分）と反射強度が高い部分（地物が存在する部分）が含まれる。また、Ｌｉｄａｒ２０５は、車両フロント部やリア部などに複数取り付け、それぞれが取得した視野範囲の反射強度データを合成して、車両の周囲の反射強度データＤを生成してもよい。【００２９】
Ｌｉｄａｒ２０５は、反射強度を測定すると即時に反射強度データＤ（反射強度が低い部分と高い部分を含む）を、インターフェース部２０４を介して車載端末２００に送信する。制御部２０１は、Ｌｉｄａｒ２０５から反射強度データＤを受信すると、受信した反射強度データＤを、反射強度データＤの受信時の車両（Ｌｉｄａｒ２０５）の位置を示す測定位置情報と、反射強度データＤの受信時の日時を示す測定日時情報と対応付けて記憶部２０２に記憶させる。なお、制御部２０１は、記憶部２０２に記憶させた反射強度データＤ、測定位置情報及び測定日時情報のうち、測定から所定時間が経過したもの、或いは、サーバ装置１００に送信したものについては、記憶部２０２から削除してもよい。【００３０】
内界センサ２０６は、車両に搭載される、衛星測位センサ（ＧＮＳＳ（Global Navigation Satellite System））、ジャイロセンサ、車速センサ等の総称である。【００３１】
制御部２０１は、制御部２０１全体を制御するＣＰＵ（Central Processing Unit）と、制御部２０１を制御する制御プログラム等が予め記憶されているＲＯＭ（Read Only Memory）と、各種データを一時的に格納するＲＡＭ（Random Access Memory）と、により構成されている。そして、ＣＰＵが、ＲＯＭや記憶部２０２に記憶された各種プログラムを読み出し実行することにより各種機能を実現する。【００３２】
制御部２０１は、推定自車位置情報を取得する。推定自車位置情報は、車載端末２００外の装置が生成したものであってもよいし、制御部２０１が生成したものであってもよい。推定自車位置情報は、例えば、Ｌｉｄａｒ２０５で計測した地物位置と、自動運転用の地図データの地物位置をマッチングして生成したり、内界センサ２０６で検出した情報と地図データに基づいて生成したり、これらの組み合わせにより生成することができる。【００３３】
また、制御部２０１は、推定自車位置情報と、地図データで示される白線の地図位置情報に基づいて、自車両（Ｌｉｄａｒ２０５）から見た実際の白線位置を予測する。このとき、制御部２０１は、ある程度の余裕を持って、白線が含まれる白線予測範囲を算出・設定する。【００３４】
ここで、図５を用いて、白線予測範囲の設定方法について具体的に説明する。図５における座標系等は次の通りである。
地図座標系： 
2018180081.tif 000003
車両座標系：
2018180081.tif 000004
地図座標系における白線地図位置：
2018180081.tif 000005
車両座標系における白線予測位置： 
2018180081.tif 000006
地図座標系における推定自車位置：
2018180081.tif 000007
地図座標系における推定自車方位角：
2018180081.tif 000008
【００３５】
制御部２０１は、推定自車位置情報の示す推定自車位置に基づき、車両の進行方向（例えば、１０ｍ先）にある白線の地図位置情報の示す白線地図位置から、白線予測範囲を算出する。このとき、図５に示すように、車両Ｖが走行するレーンが左側の白線１と右側の白線２により区切られている場合であれば、白線１及び２それぞれについて白線予測範囲を算出する。【００３６】
白線１と白線２とで白線予測範囲の算出方法は同様であるので、ここでは、白線１について白線予測範囲を算出する場合について説明する。まず、制御部２０１は、白線１地図位置と推定自車位置に基づいて白線１予測位置３０１（白線１についての白線予測位置）を算出する。白線予測位置は、次の（１）式で求められる。
【数１】
2018180081.tif 000009
【００３７】
次に、制御部２０１は、白線１予測位置３０１を基準に白線１予測範囲３１１を設定する。具体的には、白線１予測位置３０１を含む一定の範囲を白線１予測範囲３１１とする。そして、制御部２０１は、複数の点における反射強度を含む反射強度データＤから、白線１予測範囲３１１内の反射強度を示す白線１反射強度データ３２１を抽出する。【００３８】
制御部２０１は、こうして抽出した反射強度データ３２１、３２２を、白線１地図位置及び白線２地図位置にそれぞれ対応する地物ＩＤと、反射強度データ３２１、３２２の抽出元である反射強度データＤと対応する測定日時情報と対応付けてサーバ装置１００に送信する。なお、以下では、Ｌｉｄａｒ２０５が測定し、車載端末２００が記憶部２０２に記憶させた反射強度データＤ（Ｌｉｄａｒ２０５が測定した生データ又は生データを加工したデータであってもよい）を抽出前反射強度データＤと呼び、そのうち、白線予測範囲内で抽出した反射強度を示す反射強度データＤを抽出後反射強度データＤと呼ぶ場合がある。【００３９】
［３．サーバ装置１００の構成］
次に、サーバ装置１００の構成について説明する。図２に示すように、サーバ装置１００は、大別して、制御部１０１、記憶部１０２、通信部１０３、表示部１０４及び操作部１０５を含んで構成されている。【００４０】
記憶部１０２は、例えばＨＤＤやＳＳＤ等により構成されており、ＯＳ、白線劣化判定プログラム、車載端末２００から受信した反射強度データＤ及びその他各種データ等を記憶する。【００４１】
通信部１０３は、車載端末２００との通信状態を制御する。【００４２】
表示部１０４は、例えば、液晶ディスプレイ等により構成されており、文字や画像等の情報を表示する。【００４３】
操作部１０５は、例えば、キーボード、マウス等により構成されており、オペレータからの操作指示を受け付け、その指示内容を指示信号として制御部１０１に出力する。【００４４】
制御部１０１は、制御部１０１全体を制御するＣＰＵと、制御部１０１を制御する制御プログラム等が予め記憶されているＲＯＭと、各種データを一時的に格納するＲＡＭと、により構成されている。そして、ＣＰＵが、ＲＯＭや記憶部１０２に記憶された各種プログラムを読み出し実行することにより各種機能を実現する。【００４５】
制御部１０１は、一又は複数の車載端末２００それぞれから受信した複数の反射強度データＤに基づいて、白線の劣化状態を判定する。そして、制御部１０１は、劣化している地物が劣化していることを識別できるように、当該地物に対応する地図データを更新する。【００４６】
［４．地図データ管理システムＳの動作例］
［４．１．反射強度データ処理時の動作例］
次に、図６のフローチャートを用いて、地図データ管理システムＳによる反射強度データ処理の動作例について説明する。なお、図６のフローチャートでは、一の車載端末２００が反射強度データＤを測定してサーバ装置１００に送信する流れについて説明しているが、地図データ管理システムＳに含まれる各車載端末２００について同様の処理が実行される。また、図６の車載端末２００のステップＳ１０１〜ステップＳ１０５の処理は、定期的に（例えば、所定時間毎に、及び／又は、車載端末２００が搭載された車両が所定距離移動する毎に）実行され、車載端末２００によるステップＳ１０５の処理を受けて、サーバ装置１００はステップＳ２０１〜ステップＳ２０２の処理を実行する。【００４７】
まず、車載端末２００の制御部２０１は、推定自車位置情報を取得する（ステップＳ１０１）。【００４８】
次に、制御部２０１は、ステップＳ１０１の処理で取得した推定自車位置情報の示す推定自車位置に対応する地図データから、白線の地図位置情報を取得する（ステップＳ１０２）。このとき、制御部２０１は、上述したように、車両の進行方向にある白線の地図位置情報と地物ＩＤを取得する。【００４９】
次に、制御部２０１は、推定自車位置情報の示す推定自車位置と白線の地図位置情報の示す白線地図位置から、白線予測範囲を算出・設定する（ステップＳ１０３）。【００５０】
次に、制御部２０１は、Ｌｉｄａｒ２０５が測定した抽出前反射強度データＤのうち白線予測範囲内のものを抽出して、抽出後反射強度データＤを得る（ステップＳ１０４）。具体的には、制御部２０１は、まず、抽出前反射強度データＤと対応付けて記憶されている測定位置情報の測定位置と、Ｌｉｄａｒ２０５がレーザー光を出射する際の出射角（下向きの一定の角度）に基づいて、白線予測範囲を含む範囲にレーザー光を出射して測定した抽出前反射強度データＤを特定する。次いで、制御部２０１は、当該特定した抽出前反射強度データＤにおける白線予測範囲内の部分を抽出して抽出後反射強度データＤ２を得る。例えば、制御部２０１は、車両方向を基準とする白線予測範囲の方位角（θ1、θ2（図５参照）)に対応する部分を抽出する。【００５１】
次に、制御部２０１は、ステップＳ１０４の処理で抽出した抽出後反射強度データＤを、当該抽出後反射強度データＤの抽出元である抽出前反射強度データＤと対応付けて記憶されている測定日時情報及びステップＳ１０２の処理で取得した地物ＩＤとともにサーバ装置１００に送信し（ステップＳ１０５）、反射強度データ送信時処理を終了する。【００５２】
これに対して、サーバ装置１００の制御部１０１は、車載端末２００から抽出後反射強度データＤ、測定日時情報及び地物ＩＤを受信すると（ステップＳ２０１）、これらを記憶部１０２にそれぞれ対応付けて記憶させ（ステップＳ２０２）、反射強度データ送信時処理を終了する。これにより、サーバ装置１００の記憶部１０２には、複数の車載端末２００それぞれから送信された複数の抽出後反射強度データＤが蓄積されることとなる。【００５３】
［４．２．劣化判定処理時の動作例］
次に、図７のフローチャートを用いて、サーバ装置１００による劣化判定処理の動作例について説明する。劣化判定処理は、例えば、オペレータ等から白線について劣化判定することの指示とともに、劣化判定すべき白線の地物ＩＤが指定された場合に実行される。【００５４】
まず、サーバ装置１００の制御部１０１は、指定された地物ＩＤを取得する（ステップＳ２１１）。次いで、制御部１０１は、当該地物ＩＤと対応付けて記憶されており、且つ、測定日時が所定期間内（例えば、直近３ヶ月）である抽出後反射強度データＤを記憶部１０２から取得する（ステップＳ２１２）。取得対象を測定日時が所定期間内の反射強度データＤに限定している理由は、あまりに古い反射強度データＤでは、現在の劣化状態を判定するのに適切でないからである。【００５５】
次に、制御部１０１は、ステップＳ２１２の処理で抽出した抽出後反射強度データＤの平均を算出し（ステップＳ２１３）、次いで、標準偏差を算出する（ステップＳ２１４）。なお、制御部１０１は、平均及び標準偏差を算出する場合、地物ＩＤ毎（図３（Ａ）、図４（Ａ）の例では、白線Ｗ１と白線Ｗ２毎）に抽出後反射強度データＤを処理する。また、図３（Ａ）、図４（Ａ）の例では、白線Ｗ１について５つの地点での反射強度が測定されているので、制御部１０１はそれぞれの地点での反射強度の平均及び標準偏差を算出する。また、制御部１０１は、当該５つの地点それぞれでの反射強度の平均及び標準偏差を求めることに代えて、当該５つの地点又は抽出後反射強度データＤに含まれる所定の領域（一部又は全部の領域）の地点における反射強度の平均及び標準偏差を算出してもよい。【００５６】
次に、制御部１０１は、ステップＳ２１３の処理で算出した平均が第１の閾値以下であるか否かを判定する（ステップＳ２１５）。このとき、制御部１０１は、平均が第１の閾値以下であると判定した場合には（ステップＳ２１５：ＹＥＳ）、指定された白線について「劣化あり」と判定し（ステップＳ２１７）、当該白線に対応する地図データについて「劣化あり」であることを示す情報を付加する更新を行い（ステップＳ２１８）、劣化判定処理を終了する。なお、制御部１０１は、ステップＳ２１７の処理で、指定された白線について「劣化あり」と判定することは、劣化した白線を特定することの一例である。一方、制御部１０１は、平均が第１の閾値以下ではないと判定した場合には（ステップＳ２１５：ＮＯ）、次いで、ステップＳ２１４の処理で算出した標準偏差が第２の閾値以上であるか否かを判定する（ステップＳ２１６）。【００５７】
このとき、制御部１０１は、標準偏差が第２の閾値以上であると判定した場合には（ステップＳ２１６：ＹＥＳ）、指定された白線について「劣化あり」と判定し（ステップＳ２１７）、当該白線に対応する地図データについて「劣化あり」であることを示す情報を付加する更新を行い（ステップＳ２１８）、劣化判定処理を終了する。一方、制御部１０１は、標準偏差が第２の閾値以上ではないと判定した場合には（ステップＳ２１６：ＮＯ）、指定された白線について「劣化なし」と判定し（ステップＳ２１９）、劣化判定処理を終了する。なお、劣化判定処理はサーバ装置１００の制御部１０１が行うことに代えて、車載端末２００の制御部２０１が劣化判定の処理を行ってもよい。この場合、制御部２０１は、劣化していると判定された当該白線に対応する地物に対して、「劣化あり」であることを示す情報を、サーバ装置１００に送信する。【００５８】
以上説明したように、本実施例における地図データ管理システムＳは、サーバ装置１００の制御部１０１（「取得部」、「特定部」の一例）が、車両（「移動体」の一例）が出射した光の白線（「地物」の一例）からの反射光を受光して、当該車両において測定された反射強度データＤを取得し、当該取得した反射強度データＤに基づいて劣化している白線を特定する。【００５９】
したがって、本実施例の地図データ管理システムＳによれば、車両から取得する反射強度データＤを用いることで、劣化している白線を特定することができる。なお、白線の劣化判定を、車両に搭載したカメラで撮影した画像に基づいて行うことも考えられるが、夜間、逆光など明るさの変化、カメラ解像度などの制約があり、適切に劣化判定を行うことは困難であり、本実施例のように反射強度データＤを用いた劣化判定の方が優位である。【００６０】
また、制御部１０１は、反射強度データＤの測定日時を示す測定日時情報を更に取得し、測定日時情報に基づいて所定の期間に測定された反射強度データＤを選択し、当該選択した反射強度データＤに基づいて劣化している白線を特定する。したがって、所定の期間（例えば直近の数ヶ月間）を適切に設定することにより、白線の劣化判定に不適切な反射強度データＤを除いた反射強度データに基づいて劣化している白線を適切に特定することができる。【００６１】
更に、制御部１０１は、光を反射した白線の位置を特定するための地物ＩＤ（「位置情報」の一例）を更に取得し、反射強度データＤ及び地物ＩＤに基づいて、劣化している白線を特定する。これにより、劣化している白線の位置も特定することができる。【００６２】
更にまた、制御部１０１は、地図位置情報（「位置情報」の一例）に基づいて、設定された白線予測範囲内で測定された抽出後反射強度データＤに基づいて、劣化している白線を特定する。これにより、白線以外で反射された光を示す反射強度データＤを除外して劣化判定を行うことができ、より高精度に白線について劣化判定を行うことができる。【００６３】
更にまた、制御部１０１（「更新部」の一例）は、図７のステップＳ２１７の処理で「劣化あり」と判定した白線に対応する地図データを更新する（「劣化あり」であることを示す情報を付加する更新を行う）。これにより、劣化している白線を表す地図データに対して、劣化情報を反映させることができる。【００６４】
更にまた、制御部１０１は、一又は複数の車両のそれぞれが出射した光の白線からの反射光を受光して、当該一又は複数の車両のそれぞれにおいて測定された反射強度データＤを取得し、当該取得した複数の反射強度データＤに基づいて劣化している白線を特定する。したがって、本実施例の地図データ管理システムＳによれば、一又は複数の車両から取得する反射強度データＤを用いて、高精度に劣化している白線を特定することができる。【００６５】
なお、本実施例では、劣化判定の対象の地物を白線として説明したが、反射強度に基づいて劣化判定を行うことが可能な全ての地物を劣化判定の対象とすることができる。【００６６】
［５．変形例］
次に、本実施例の変形例について説明する。なお、以下に説明する変形例は適宜組み合わせることができる。【００６７】
［５．１．第１変形例］
上記実施例では、劣化判定の対象である白線が実線である場合について説明したが、白線が破線である場合もある。また、白線はレーンを区切るためだけではなく、導流体、文字、横断歩道等にも用いられている。更に、劣化判定の対象は白線のみならず、標識や看板等の地物も含めることができる。つまり、劣化判定の対象とする地物は様々な種別に分類することができる。そこで、地物の種類を示す地物種類情報を更に地物ＩＤと紐付けておくこととし、地物の種類によって反射強度データを用いて劣化判定をする際の閾値を変更することとしてもよい。【００６８】
また、白線が破線である場合、白線がペイントされている部分毎に地物ＩＤを設定して、白線がペイントされていない部分については地物ＩＤを設定せずに劣化判定の対象から除外することとしてもよい。なお、導流体、文字、横断歩道等は、白線の向きが車両の進行方向と平行でない場合もあるので、白線の種類毎に白線予測範囲の設定方法を定めておき（例えば、白線予測範囲の四隅の点の位置情報を地図データに記述しておき、車載装置２００の制御部２０１はそれに基づいて白線予測範囲を設定する）、劣化判定の対象となる白線の種類に応じて白線予測範囲を設定することとしてもよい。【００６９】
［５．２．第２変形例］
Ｌｉｄａｒ２０５により測定する反射強度は、日光の影響を受けるため測定日時や測定時の天候により異なる。例えば、同一の白線における反射強度であっても、明け方や夕暮れ時での反射強度と日中での反射強度は異なる。また、晴天時の反射強度と、曇りや雨、雪等の時の反射強度も異なる。そこで、第２変形例では、車載装置２００の制御部２０１は、Ｌｉｄａｒ２０５から反射強度データＤを受信した際に、測定時の天候を示す天候情報を更に対応付けて記憶部２０２に記憶させることとし、図６のステップＳ１０５の処理で、天候情報を更に対応付けてサーバ装置１００に送信し、サーバ装置１００も天候情報を更に対応付けて記憶部１０２に記憶させることとする。そして、サーバ装置１００の制御部１０１は、測定日時情報又は天候情報の少なくとも何れか一方の情報（「付随情報」の一例）に応じて反射強度データＤを補正した上で、劣化している地物を特定することとしてもよい。これにより、測定時の時刻や天候による反射強度データ間の差を相殺して、適切に劣化判定を行うことができる。【００７０】
［５．３．第３変形例］
上記実施例では、車載端末２００の制御部２０１は定期的に反射強度データＤをサーバ装置１００に送信することとしたが、これに加えて、制御部２０１は車載端末２００（自車両）が所定のエリア（例えば、サーバ装置１００から指定された測定エリア）内で測定した反射強度データＤのみを送信するという条件を加えることとしてもよい。これにより、例えば、サーバ装置１００が白線の劣化判定を行う必要のあるエリアを測定エリアとして指定することにより、白線の劣化判定を行う必要のないエリアで測定された反射強度データＤを受信しなくてすむ。これにより、車載端末２００とサーバ装置１００間の通信データ量の削減や、反射強度データＤを記憶するサーバ装置１００の記憶部１０２の記憶容量の節約、劣化判定に係る処理負荷の軽減を実現することができる。【００７１】
また、サーバ装置１００の制御部１０１は、記憶部１０２に反射強度データＤとともに記憶させた地図位置情報（「位置情報」の一例）を参照して、指定されたエリア（例えば、オペレータ等により指定された、白線の劣化判定を行う必要のあるエリア）で測定された反射強度データに基づいて、劣化している白線を特定することとしてもよい。これにより、劣化判定を行う必要のあるエリアを指定することにより、当該エリア内の白線についてのみ劣化判定を行うことができ、劣化判定を行う必要のないエリアについて劣化判定を行う場合よりも処理負担を軽減できる。【００７２】
［５．４．第４変形例］
上記実施例では、Ｌｉｄａｒ２０５が車両のルーフ部分等に取り付けられ、一定の角度で下向きに車両の周囲に円を描くように一本の赤外線レーザー光Ｌを出射することとしたが、例えば、図８（Ａ）に示すように、Ｌｉｄａｒ２０５が車両の周囲に円を描くように複数本（図８（Ａ）では５本）の赤外線レーザー光Ｌをそれぞれ下向き方向の出射角度を異ならせて出射することとしてもよい。これにより、図８（Ｂ）に示すように、一度に、車両の進行方向に沿って反射強度データＤを測定することができる。また、上記実施例のように、一本の赤外線レーザー光Ｌを出射して反射強度データＤを測定するということを車両Ｖが所定の距離移動する度に行い、それらを組み合わせることにより、図８で示した例と同様に、車両の進行方向に沿って反射強度データＤを得ることができる。【００７３】
また、第１変形例でも説明したが、図９（Ａ）に示すように、白線が破線である場合に、白線がペイントされていない部分は、白線の劣化がそもそも発生しないことから劣化判定の対象から外すことが好ましい。そこで、サーバ装置１００の制御部１０１は、上述したように車両Ｖの進行方向に沿って測定された反射強度データＤに基づいて、白線がペイントされている部分（ペイントエリア）を有効エリア、白線がペイントされていない部分（非ペイントエリア）を無効エリアとして切り分け、有効エリアに対応する反射強度のみに基づいて劣化判定を行うこととしてもよい。具体的には、図９（Ａ）、（Ｂ）に示すように、破線の白線について車両Ｖの進行方向に沿って測定された反射強度データＤの示す反射強度は、大別して、ペイントエリアで高い値となり、非ペイントエリアで低い値となることから、閾値を設定して、反射強度が閾値以上であれば有効エリア、それ以外は無効エリアとして切り分ける。これにより、第１変形例で説明したように、破線である白線のペイントエリア毎に地物ＩＤを設定することなく、実線である白線と同様に所定の距離毎に地物ＩＤを設定することができ、且つ、非ペイントエリアについて劣化判定を行わないようにすることができる。なお、このペイントエリア（有効エリア）と非ペイントエリア（無効エリア）を切り分ける手法は、破線の白線以外にも、ペイントエリアと非ペイントエリアで構成される導流体、文字、横断歩道等の劣化判定に採用してもよい。【００７４】
［５．５．第５変形例］
上記実施例では、予め白線予測範囲を算出して、そこに含まれる反射強度データＤは、白線で反射した光によるものとして処理を行っている。すなわち、車載端末２００がサーバ装置１００に送信する抽出後反射強度データＤは、白線での反射強度を示すデータであることが保証されていた。第５変形例では、車載端末２００は、Ｌｉｄａｒ２０５から受信した抽出前反射強度データＤを、測定位置情報及び測定日時情報と対応付けてサーバ装置１００に送信することとする。そして、サーバ装置１００の制御部１０１は、当該抽出前反射強度データＤの示す反射強度の分布と、車両が走行するレーンを区切る白線の位置関係から白線による反射に基づく反射強度を特定し、当該特定した反射強度に基づいて、劣化判定を行うこととする。そして、劣化判定により地物が劣化していると判定した場合には、反射強度データＤと対応する測定位置情報と、Ｌｉｄａｒ２０５がレーザー光Ｌを出射する出射角度を示す情報との組み合わせにより、劣化している白線の位置を特定することとしてもよい。これにより、Ｌｉｄａｒ２０５が測定した抽出前反射強度データＤから、白線の劣化判定に用いる部分を抽出する処理、白線の地図位置の取得処理に掛かる車載端末２００の処理負担を軽減することができる。また、第５変形例では、記憶部２０２に記憶されている地図データに白線の位置情報を持たせなくても、サーバ装置１００において白線の劣化判定を行うことが可能となる。【００７５】
［５．６．第６変形例］
図１０、図１１を用いて、路面にペイントされた矢印、導流体、文字、横断歩道等の図柄（「ペイント部」という場合がある）の劣化を判定する第６変形例について説明する。図１０は、ペイント部における反射強度を示すペイント部反射強度データ５０１を取得する方法を説明するための図である。図１１は、複数のペイント部反射強度データ５０１を合成して反射強度地図データ５１０を生成する場合の概念図である。【００７６】
まず、図１０を用いて、右折矢印５００（ペイント部）について反射強度を示すペイント部反射強度データ５０１を取得する方法について具体的に説明する。図１０における座標系等は次の通りである。
地図座標系：
2018180081.tif 000010
車両座標系：
2018180081.tif 000011
地図座標系におけるペイント部位置（車両から見たペイントの位置）：
2018180081.tif 000012
車両座標系におけるペイント部位置（地図から見たペイントの位置）：
2018180081.tif 000013
地図座標系における推定自車位置： 
2018180081.tif 000014
地図座標系における推定自車方位角： 
2018180081.tif 000015
【００７７】
また、地図座標系における路面ペイント位置は次の（２）式で求められる。
【数２】
2018180081.tif 000016
【００７８】
車載端末２００の制御部２０１は、車両Ｖの進行に伴い、右折矢印５００上におけるペイント部反射強度データ５０１を複数取得する。例えば、図１１に示すように、車両Ｖの進行に伴って、ペイント部反射強度データ５０１Ａ、ペイント部反射強度データ５０１Ｂ、ペイント部反射強度データ５０１Ｃ、ペイント部反射強度データ５０１Ｄを順次取得する。各ペイント部反射強度データ５０１は、Ｌｉｄａｒ２０５による一回のレーザー光の出射により得られるペイント部上の複数の位置（点）における反射強度を含む。例えば、図１１においてペイント部反射強度データ５０１Ａが横長形状で示されているが、これは、一回のレーザー光の出射により得られたペイント部上の複数の位置における反射強度を示している。すなわち、ペイント部反射強度データ５０１Ａは横方向に並ぶ複数の位置（点）のそれぞれにおける反射強度を含むデータである。そして、制御部２０１は、それぞれのペイント部反射強度データ５０１に含まれる複数の位置における各反射強度を示す情報を、上記（２）式に基づいて算出した地図座標系における路面ペイント位置を示す情報と対応付けてサーバ装置１００に送信する。なお、制御部２０１は、サーバ装置２００等から予め指定されたペイント部についてのみペイント部反射強度データ５０１をサーバ装置１００に送信することとしてもよい。【００７９】
図１１に示すように、サーバ装置１００の制御部１０１は、一又は複数の車載端末２００から受信した複数のペイント部反射強度データ５０１Ａ〜５０１Ｄを、ペイント部反射強度データ５０１と対応付けられた地図座標系におけるペイント部位置を示す情報に基づいて合成することにより反射強度地図データ５１０（「反射強度分布」の一例）を生成する。反射強度地図データ５１０は、位置座標毎に反射強度を保持するデータであり、例えば、（Ｘ１、Ｙ１、Ｉ１）、（Ｘ２、Ｙ２、Ｉ２）、…（Ｘｎ、Ｙｎ、Ｉｎ）といったデータ構造となる（Ｉは反射強度を表し、Ｘ、Ｙは反射強度Ｉが得られた位置座標を表す）。そして、制御部１０１は、反射強度地図データ５１０における反射強度を解析することにより、ペイント部の劣化位置及び劣化状態を判定する。なお、サーバ装置１００の制御部１０１の代わりに、車載端末２００の制御部２０１が反射強度地図データ５１０を生成し、サーバ装置１００に送信することとしてもよい。また、車載端末２００の制御部２０１が反射強度地図データ５１０を生成し、更に、劣化位置及び劣化状態の判定を行い、劣化位置及び劣化状態を示す劣化情報をサーバ装置１００に送信することとしてもよい。【００８０】
第６変形例では、１又は複数の車両Ｖで得られたペイント部反射強度データ５０１を利用して反射強度地図データを生成することにより、反射強度について高密度の分布情報を取得することができるため、白線よりも複雑な形状（文字等）のペイント部であっても劣化を判定することができる。また、サーバ装置１００が１又は複数の車両Ｖから取得したペイント部反射強度データ５０１を統計的に処理することにより、劣化位置及び劣化状態の判定精度を向上させることができる。【００８１】
なお、ペイント部の劣化を判定するにあたり、例えばそれぞれのペイント部が示す内容に応じて優先度（重み付け）を設定し、劣化判定をする際に用いる閾値を優先度に応じて変化させてもよい。具体的には、重要な情報を提示するペイント部について優先度を高く設定し、劣化と判定され易いように閾値を低く設定する。例えば、図１２（Ａ）における「とまれ」を表すペイント部５５１と「自転車マーク」を表すペイント部５５２について優先度を高く設定し、「三角形マーク」を表すペイント部５５３について優先度を低く設定する。同様に、図１２（Ｂ）における「止まれ」を表すペイント部５６１について優先度を高く設定し、「棒線」を表すペイント部５６２について優先度を低く設定する。これにより、ペイント部５５１及びペイント部５５２や、ペイント部５６１については劣化判定をする際に用いる閾値が低く設定され、軽度の劣化でも劣化と判定される。このようにペイント部が示す内容に応じて優先度を設定することにより、優先度が低い箇所について軽度の劣化であれば劣化していないと判定される。すなわち、優先度を用いることにより、ペイント部が示す内容に応じて柔軟に劣化の判定を行うことができる。【００８２】
また、こうしたペイント部の劣化判定は、白色のペイント部に限らず黄色など他の色のペイント部についても行うことができる。このとき、ペイント部の色に応じて反射強度が異なる場合があることから、ペイント部の色に応じて劣化判定をする際に用いる閾値を変えてもよい。
【符号の説明】
【００８３】
１  劣化地物特定装置
１Ａ  取得部
１Ｂ  特定部
Ｓ  地図データ管理システム
１００  サーバ装置
１０１  制御部
１０２  記憶部
１０３  通信部
１０４  表示部
１０５  操作部
２００  車載端末
２０１  制御部
２０２  記憶部
２０３  通信部
２０４  インターフェース部
２０５  Ｌｉｄａｒ
２０６  内界センサ
【図１】
2018180081.tif 000017
【図２】
2018180081.tif 000018
【図３】
2018180081.tif 000019
【図４】
2018180081.tif 000020
【図５】
2018180081.tif 000021
【図６】
2018180081.tif 000022
【図７】
2018180081.tif 000023
【図８】
2018180081.tif 000024
【図９】
2018180081.tif 000025
【図１０】
2018180081.tif 000026
【図１１】
2018180081.tif 000027
【図１２】
2018180081.tif 000028
【手続補正書】
【提出日】令和1年9月13日(2019.9.13)
【手続補正１】
【補正対象書類名】特許請求の範囲
【補正対象項目名】全文
【補正方法】変更
【補正の内容】
【特許請求の範囲】
【請求項１】
出射部が出射した光の地物からの反射光に基づく反射強度データを取得する取得部と、
前記取得部が取得した反射強度データに基づいて劣化している地物を特定する特定部と、
を備え、
前記取得部は、前記反射強度データの測定日時を示す測定日時情報を取得し、
前記特定部は、前記測定日時情報に基づいて所定の期間に測定された前記反射強度データを選択し、当該選択した反射強度データに基づいて前記劣化している地物を特定することを特徴とする劣化地物特定装置。
【請求項２】
請求項１に記載の劣化地物特定装置であって、
前記取得部は、第１地物についての前記反射強度データの測定日時を示す第１地物測定日時情報を取得し、
前記特定部は、前記第１地物測定日時情報に基づいて前記所定の期間に測定された前記第１地物についての複数の前記反射強度データを選択し、当該選択した複数の反射強度データを統計処理することにより前記第１地物の劣化判定を行うことを特徴とする劣化地物特定装置。
【請求項３】
請求項１又は２の何れか一項に記載の劣化地物特定装置であって、
前記取得部は、前記反射強度データを測定した地物の種類を示す地物種類情報を更に取得し、
前記特定部は、地物が劣化しているかの判定を閾値に基づいて行い、当該閾値を前記地物の種類に応じて変更することを特徴とする劣化地物特定装置。
【請求項４】
請求項１乃至３の何れか一項に記載の劣化地物特定装置であって、
前記取得部は、前記反射強度データの測定時の天候を示す天候情報を含む付随情報を更に取得し、
前記特定部は、前記付随情報に応じて前記反射強度データを補正した上で、前記劣化している地物を特定することを特徴とする劣化地物特定装置。
【請求項５】
請求項１乃至４の何れか一項に記載の劣化地物特定装置であって、
前記取得部は、前記光を反射した地物の位置を特定するための位置情報を更に取得し、
前記特定部は、前記位置情報に基づいて、前記劣化している地物を特定することを特徴とする劣化地物特定装置。
【請求項６】
請求項５に記載の劣化地物特定装置であって、
前記特定部は、前記位置情報を参照して、指定されたエリアで測定された前記反射強度データに基づいて、前記劣化している地物を特定することを特徴とする劣化地物特定装置。
【請求項７】
請求項５に記載の劣化地物特定装置であって、
前記出射部を搭載した移動体の移動に伴って、前記取得部で取得した前記反射強度データに基づいて、反射強度分布を作成する作成部を更に備え、
前記特定部は、前記作成された反射強度分布に基づいて、前記劣化している地物を特定することを特徴とする劣化地物特定装置。
【請求項８】
請求項７に記載の劣化地物特定装置であって、
前記反射強度分布には、劣化している前記地物を特定する際の優先度を示す情報が含まれ、
前記特定部は、前記優先度を示す情報に基づいて、前記劣化している地物を特定することを特徴とする劣化地物特定装置。
【請求項９】
請求項１乃至８の何れか一項に記載の劣化地物特定装置であって、
前記特定部に特定された劣化している地物に対応する地図データを更新する更新部を更に備えることを特徴とする劣化地物特定装置。
【請求項１０】
請求項１乃至９の何れか一項に記載の劣化地物特定装置であって、
前記特定部が特定した劣化している地物を示す情報を送信する送信部を更に備えることを特徴とする劣化地物特定装置。
【請求項１１】
劣化地物特定装置による劣化地物特定方法であって、
出射部が出射した光の地物からの反射光に基づく反射強度データを取得する取得工程と、
前記取得工程により取得した反射強度データに基づいて劣化している地物を特定する特定工程と、
を含み、
前記取得工程では、前記反射強度データの測定日時を示す測定日時情報を取得し、
前記特定工程では、前記測定日時情報に基づいて所定の期間に測定された前記反射強度データを選択し、当該選択した反射強度データに基づいて前記劣化している地物を特定することを特徴とする劣化地物特定方法。
【請求項１２】
コンピュータを、
出射部が出射した光の地物からの反射光に基づく反射強度データを取得する取得部、
前記取得部が取得した反射強度データに基づいて劣化している地物を特定する特定部、
として機能させ、
前記取得部は、前記反射強度データの測定日時を示す測定日時情報を取得し、
前記特定部は、前記測定日時情報に基づいて所定の期間に測定された前記反射強度データを選択し、当該選択した反射強度データに基づいて前記劣化している地物を特定することを特徴とする劣化地物特定プログラム。
【請求項１３】
コンピュータを、
出射部が出射した光の地物からの反射光に基づく反射強度データを取得する取得部、
前記取得部が取得した反射強度データに基づいて劣化している地物を特定する特定部、
として機能させ、
前記取得部は、前記反射強度データの測定日時を示す測定日時情報を取得し、
前記特定部は、前記測定日時情報に基づいて所定の期間に測定された前記反射強度データを選択し、当該選択した反射強度データに基づいて前記劣化している地物を特定することを特徴とする劣化地物特定プログラムを記録したコンピュータ読み取り可能な記録媒体。
【手続補正２】
【補正対象書類名】明細書
【補正対象項目名】０００８
【補正方法】削除
【補正の内容】
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】変更
【補正の内容】
【００１１】
請求項１１に記載の発明は、劣化地物特定装置による劣化地物特定方法であって、出射部が出射した光の地物からの反射光に基づく反射強度データを取得する取得工程と、前記取得工程により取得した反射強度データに基づいて劣化している地物を特定する特定工程と、を含み、前記取得工程では、前記反射強度データの測定日時を示す測定日時情報を取得し、前記特定工程では、前記測定日時情報に基づいて所定の期間に測定された前記反射強度データを選択し、当該選択した反射強度データに基づいて前記劣化している地物を特定することを特徴とする。
【手続補正６】
【補正対象書類名】明細書
【補正対象項目名】００１２
【補正方法】変更
【補正の内容】
【００１２】
請求項１２に記載の発明は、コンピュータを、出射部が出射した光の地物からの反射光に基づく反射強度データを取得する取得部、前記取得部が取得した反射強度データに基づいて劣化している地物を特定する特定部、として機能させ、前記取得部は、前記反射強度データの測定日時を示す測定日時情報を取得し、前記特定部は、前記測定日時情報に基づいて所定の期間に測定された前記反射強度データを選択し、当該選択した反射強度データに基づいて前記劣化している地物を特定することを特徴とする。
【手続補正７】
【補正対象書類名】明細書
【補正対象項目名】００１３
【補正方法】変更
【補正の内容】
【００１３】
請求項１３に記載の発明は、コンピュータを、出射部が出射した光の地物からの反射光に基づく反射強度データを取得する取得部、前記取得部が取得した反射強度データに基づいて劣化している地物を特定する特定部、として機能させ、前記取得部は、前記反射強度データの測定日時を示す測定日時情報を取得し、前記特定部は、前記測定日時情報に基づいて所定の期間に測定された前記反射強度データを選択し、当該選択した反射強度データに基づいて前記劣化している地物を特定することを特徴とする劣化地物特定プログラムを記録したコンピュータ読み取り可能な記録媒体である。
【国際調査報告】
2018180081.tif 000029
2018180081.tif 000030
2018180081.tif 000031
2018180081.tif 000032